(57)【要約】【課題】  木製床板の提供。【解決手段】  本考案は一種の木製床板構造の改良に関わるものである。おもに複数の第１木製細長い板体と複数の第２木製細長い板体より構成する。第１木製細長い板体に突起状掛け合い部を設け、第２木製細長い板体に凹み状掛け合い部を設ける。第１、第２木製細長い板体の突起状掛け合い部と凹み状掛け合い部を合せて、接着剤で固着する。複数の第１、第２木製細長い板体を並列して、第１、第２木製細長い板体の間は接着剤により固着して板状を形成した上、一定の厚みで複数の薄板体に裁断する。第１、第２木製細長い板体の接合場所は突起状掛け合い部と凹み状掛け合い部を合せて掛け合う、接着された突起状掛け合い部と凹み状掛け合い部は直角面の接触により、安定の接合ができるほか、裁断面の木目が一致する。【選択図】        図１
0003126446.tif 000002
【実用新案登録請求の範囲】
【請求項１】
複数の第１木製細長い板体、複数の第２木製細長い板体及び接着体を含み、該第１木製細長い板体１１は突起状掛け合い部を設け、
該第２木製細長い板体は凹み状掛け合い部を設け、該凹み状掛け合い部は第１木製細長い板体の突起状掛け合い部と掛け合い、
該接着体は第１、第２木製細長い板体の突起状掛け合い部と凹み状掛け合い部との間に塗布し、第１、第２木製細長い板体を緊密に接着し、さらに第１、第２木製細長い板体の両側に塗布して、第１、第２木製細長い板体を貼り合わせて板状を形成し、第１、第２木製細長い板体を貼り合わせて板状を形成した上、一定の厚みに複数の薄い床板体に裁断することを特徴とする一種の木製床板。
【考案の詳細な説明】
【技術分野】
【０００１】
本考案は一種木製床板構造の改良、特に一種の内装材料分野の技術応用に関わるものである。
【背景技術】
【０００２】
公知技術の床板構造は図５、図６に示す通り、主に複数の第１木製細長い板体１１と複数の第２木製細長い板体１２より構成する。複数の第１、第２木製細長い板体１１、１２を並列した上、接着剤２０により結合し、結合した後第１、第２木製細長い板体１１、１２は板状を形成し、一定の厚みに複数の薄状の床板体１０に裁断する。この種の床板構造は床板の効果を有するが、第１、第２木製細長い板体１１、１２は単純に接着剤２０により結合したもので、気候、温度および湿度変化により、裁断後の木製細長い板体は、冷収縮や熱膨張ならびに湿気によって跳ね上がるため、結合の安定性は良くない。
【０００３】
さらに、図７、図８に示すものは、複数の第１木製細長い板体１１と複数の第２木製細長い板体１２より構成する。第１木製細長い板体１１に歯形突起状掛け合い部１１１を設け、第２木製細長い板体１２に凹み状歯形掛け合い部１２１を設ける。第１、第２木製細長い板体１１、１２に設ける突起状歯形掛け合い部１１１と凹み状歯形掛け合い部１２１を合せた後、接着剤２０により固着し、結合された複数の第１、第２木製細長い板体１１、１２を並列して、第１、第２木製細長い板体１１、１２の間は接着剤２０により板状に結合する。一定の厚みで複数の薄い床板体１０に裁断する。この種の床板構造は床板の効果を有し、かつ、結合の安定性が良い。しかしながら、第１、第２木製細長い板体１１、１２の接合場所は歯形状の接ぎ合わせのため、薄板体に裁断した後の裁断面の木目模様が乱れるほか、突起状歯型の接ぎ合わせのため、薄板体に裁断した後の裁断面の木目模様が乱れる。さらに、突起状歯型状掛け合い部１１１と凹み状歯形掛け合い部１２１は薄い片体に裁断した後、歯型状の歯部は傾斜面のため、跳ね上がる恐れがある。
【０００４】
本考案者は前記した問題点を鑑みて、公知技術の床板構造の安定性と裁断面の木目模様の乱れ問題を改善し、本考案の木製床板構造の改良を考案した。
【考案の開示】
【考案が解決しようとする課題】
【０００５】
第１木製細長い板体に突起状掛け合い部を設け、第２木製細長い板体は第１木製細長い板体の突起状掛け合い部に対応した凹み状掛け合い部を設け、第１木製細長い板体と突起状掛け合い部と第２木製細長い板体の凹み状掛け合い部に合せて、接着剤により固着し結合する。結合された複数の第１、第２木製細長い板体を並列して、第１、第２木製細長い板体の間に接着剤を塗布し板状に結合した上、一定の厚みで複数の薄い床板体に裁断する。第１、第２木製細長い板体の接合場所は突起状掛け合い部と凹み状掛け合い部に合せているほか、接ぎ合わせ接続面は直角面の接触のため、安定な接ぎ合わせおよび裁断面の滑らかな木目効果を有する、一種の木製床板を提供することを本考案の主な目的とする。
【課題を解決するための手段】
【０００６】
請求項１の考案は、複数の第１木製細長い板体、複数の第２木製細長い板体及び接着体を含み、該第１木製細長い板体１１は突起状掛け合い部を設け、
該第２木製細長い板体は凹み状掛け合い部を設け、該凹み状掛け合い部は第１木製細長い板体の突起状掛け合い部と掛け合い、
該接着体は第１、第２木製細長い板体の突起状掛け合い部と凹み状掛け合い部との間に塗布し、第１、第２木製細長い板体を緊密に接着し、さらに第１、第２木製細長い板体の両側に塗布して、第１、第２木製細長い板体を貼り合わせて板状を形成し、第１、第２木製細長い板体を貼り合わせて板状を形成した上、一定の厚みに複数の薄い床板体に裁断することを特徴とする一種の木製床板としている。
【考案の効果】
【０００７】
本考案は以下の特長を有する、
１．掛け合い部が安定である。第１、第２木製細長い板体の接合場所に突起状掛け合い部と凹み状掛け合い部を設け、突起状掛け合い部と凹み状掛け合い部を掛け合い、掛け合い場所に接着剤を塗布することにより、二つの板体の安定な接合性と強度を提供できる、
２．裁断面の木目は滑らかである。突起状掛け合い部と凹み状掛け合い部を合せるとき、その合せ面は直角面の接触のため、薄板体に裁断した後、裁断面の木目は水平間隔状を形成し、滑らかな視覚感覚を与える。
【考案を実施するための最良の形態】
【０００８】
図１から図４に示すものは、本考案の木製床板における立体組合せ図と分解状態の概略図である。
【０００９】
主に、複数の第１木製細長い板体１１を有し、該第１木製細長い板体１１に突起状掛け合い部１１０を設ける。
【００１０】
複数の第２木製細長い板体１２を有し、該第２木製細長い板体１２に凹み状掛け合い部１２０を設け、該凹み状掛け合い部１２０は第１木製細長い板体１１の突起状掛け合い部１１０と掛け合う。
【００１１】
接着剤２０を有し、該接着剤２０は第１、第２木製細長い板体１１、１２の突起状掛け合い部１１０と凹み状掛け合い部１２０との間に塗布し、第１、第２木製細長い板体１１、１２を緊密に接着する。接着剤２０はさらに第１、第２木製細長い板体１１、１２の両側に塗布し、第１、第２木製細長い板体１１、１２を互いに貼り合わせて板状を形成する。
【００１２】
第１、第２木製細長い板体１１、１２を貼り合わせて板状を形成した上、一定の厚みに複数の薄い床板体１０に裁断する。
【００１３】
前記の構成要素を組み合わせることにより、本考案の木製床板を構成する。
【００１４】
本考案は以下の特長を有する、
１．掛け合い部が安定である。第１、第２木製細長い板体の接合場所に突起状掛け合い部と凹み状掛け合い部を設け、突起状掛け合い部と凹み状掛け合い部を掛け合い、掛け合い場所に接着剤を塗布することにより、二つの板体の安定な接合性と強度を提供できる、
２．裁断面の木目は滑らかである。突起状掛け合い部と凹み状掛け合い部を合せるとき、その合せ面は直角面の接触のため、薄板体に裁断した後、裁断面の木目は水平間隔状を形成し、滑らかな視覚感覚を与える。
【図面の簡単な説明】
【００１５】
【図１】本考案の組み合わせたときの概略図である。
【図２】本考案の立体分解概略図である。
【図３】本考案の木製細長い板体を板状に結合した形態の概略図である。
【図４】本考案の木製細長い板体を板状に結合した後、薄板体に裁断された形態の概略図である。
【図５】本考案の実施例１における、状態参考図である。
【図６】本考案の実施例１による薄板体に裁断した状態の概略図である。
【図７】本考案の実施例２における、状態参考図である。
【図８】本考案の実施例２による薄板体に裁断した状態の概略図である。
【符号の説明】
【００１６】
１０  床板体
１１  第１木製細長い板体
１１０  突起状掛け合い部
１１１  歯形突起状掛け合い部
１２  第２木製細長い板体
１２０  凹み状掛け合い部
１２１  歯形凹み状掛け合い部
２０  接着剤
【図１】
0003126446.tif 000003
【図２】
0003126446.tif 000004
【図３】
0003126446.tif 000005
【図４】
0003126446.tif 000006
【図５】
0003126446.tif 000007
【図６】
0003126446.tif 000008
【図７】
0003126446.tif 000009
【図８】
0003126446.tif 000010